(57)【要約】【課題】賃貸マンションやホテル等におけるインターネット接続サービスのようにユーザがサービスを利用する場合にのみ機器が接続されるＬＡＮ回線にも適用でき、現場に保守員を派遣することなく迅速かつ低コストでＬＡＮ回線の接続状態を確認可能とする。【解決手段】ユーザ接続用コンセント（ＭＪ）、回線接続状態表示機、回線テストスイッチ、ＬＡＮ回線接続用ＭＪ、インターネット接続サーバ側の監視ユニットとデータ通信を行って回線接続を確認する制御ユニット、ユーザ接続用ＭＪのプラグ挿抜検出回路、ＬＡＮ回線の信号をユーザ接続用ＭＪと制御ユニットのいずれに接続するかを切替るＬＡＮ信号切替回路を備え、制御ユニットにおいて、ユーザ接続状態を判定してＬＡＮ信号切替回路を切替る処理、ユーザ非接続時に定期的に回線接続を監視する処理、ユーザ接続時に回線テストスイッチが押下されたときに一時的に回線接続をテストする処理が実行される。【選択図】図２
2009152947.tif 000002
【特許請求の範囲】
【請求項１】
インターネット接続サーバを介してインターネットに常時接続されているＬＡＮ回線であって、ユーザに対してインターネット接続サービスを提供する前記ＬＡＮ回線のユーザ側終端に接続され、該ＬＡＮ回線の回線接続状態を監視する装置であって、
ＬＡＮ回線のユーザ側終端が接続されるＬＡＮ回線接続用コンセントと、
ＬＡＮ回線インターフェースを有し、ＬＡＮ上の機器とデータ通信を行う機能を有する制御ユニットと、
筐体のパネル面に設けられ、ユーザ装置のプラグが接続されるユーザ接続用コンセントと、
筐体のパネル面に設けられ、スイッチが押下されたときにテストスイッチ押下信号を前記制御ユニットに送信する回線テストスイッチと、
筐体のパネル面に設けられ、前記制御ユニットからの信号に基づいて回線接続の良・不良を表示する表示ユニットと、
前記ユーザ接続用コンセントに対するユーザ装置のプラグの挿抜を検知し、検知されたプラグ挿抜検知信号を前記制御ユニットに送信するプラグ挿抜検知ユニットと、
前記制御ユニットから切替信号を受信し、前記ＬＡＮ回線接続用コンセントのＬＡＮ信号を、前記ユーザ接続用コンセント側に接続するか、前記制御ユニット側に接続するかを切り替えるＬＡＮ信号切替ユニットとを備え、
前記制御ユニットは、
前記プラグ挿抜検出ユニットからのプラグ挿抜検知信号によりユーザ装置の接続を判定する機能と、該接続判定によりユーザ装置が接続されたと判定された場合に、前記ＬＡＮ信号切替ユニットに対してユーザ接続用コンセント側に接続する切替信号を送信してＬＡＮ回線を該ユーザ装置に接続させる機能と、該接続判定によりユーザ装置が解除されたと判断された場合に、前記ＬＡＮ信号切替ユニットに対して制御ユニット側に接続する切替信号を送信してＬＡＮ回線を該制御ユニットに接続させる機能とを含むユーザ接続判定手段と、
前記ユーザ接続判定手段によりユーザ装置が接続中でないと判定された場合に、前記インターネット接続サーバ側に備えられた監視ユニットと定期的にデータ通信を行ってＬＡＮ回線の回線接続状態を確認する機能と、該回線接続状態の確認によってＬＡＮ回線の回線接続が確認されたときに前記表示ユニットに回線接続良を表示させる機能と、該回線接続状態の確認によってＬＡＮ回線の回線接続が確認されなかったときに前記表示ユニットに回線接続不良を表示させる機能とを含むユーザ非接続時監視手段と、
前記ユーザ接続判定機能によりユーザ装置が接続中であると判定された場合であって、前記回線テストスイッチからテストスイッチ押下信号が受信された場合に、前記ＬＡＮ信号切替ユニットに対して制御ユニット側に接続する切替信号を送信してＬＡＮ回線を該制御ユニットに接続させる機能と、前記インターネット接続サーバ側に備えられた監視ユニットとデータ通信を行ってＬＡＮ回線の回線接続状態を確認する機能と、該回線接続状態の確認によってＬＡＮ回線の回線接続が確認されたときに前記表示ユニットに回線接続良を表示させる機能と、該回線接続状態の確認によってＬＡＮ回線の回線接続が確認されなかったときに前記表示ユニットに回線接続不良を表示させる機能と、前記ＬＡＮ信号切替ユニットに対してユーザ接続用コンセント側に接続する切替信号を送信してＬＡＮ回線を該ユーザ装置に接続させてユーザ装置の通信を復帰させる機能とを含むユーザ接続時テスト手段と、
を有することを特徴とする、ＬＡＮ回線接続状態監視装置。
【請求項２】
前記ＬＡＮ回線接続用コンセントに接続され、装置内で使用するすべての電源をＬＡＮケーブルを介して受電するためのＰｏＥ受電ユニットを備えたことを特徴とする、請求項１に記載のＬＡＮ回線接続状態監視装置。
【請求項３】
前記制御ユニットのＩＰアドレスを設定するためのＩＰ設定ユニットが接続されるＩＰ設定ユニット接続用コンセントを備え、前記ＩＰ設定ユニットを前記ＩＰ設定ユニット接続コンセントに接続することで前記制御ユニットのＩＰアドレスを外部から設定できるようにしたことを特徴とする、請求項１または請求項２に記載のＬＡＮ回線接続状態監視装置。
【請求項４】
請求項１ないし請求項３のいずれかに記載のＬＡＮ回線接続状態監視装置をＬＡＮ回線の各ユーザ側終端に備え、前記インターネット接続サーバ側に監視ユニットを備えた、ＬＡＮ回線接続状態監視システムであって、
前記ＬＡＮ回線接続状態監視装置の前記制御ユニットは、前記ユーザ接続判定手段により判定されたユーザ装置の接続状態を前記監視ユニットに送信する機能を有し、
前記監視ユニットは、
前記ＬＡＮ回線内に備えられた各ＬＡＮ回線接続状態監視装置におけるユーザ接続状態とＬＡＮ回線接続状態とが記憶される記憶手段を備え、
前記ＬＡＮ回線接続状態監視装置から受信されたユーザ装置の接続状態に基づき、前記記憶手段に記憶されている該ＬＡＮ回線接続状態監視装置のユーザ接続状態を更新する機能と、前記ＬＡＮ回線接続状態監視装置の前記制御ユニットとのデータ通信により確認されたＬＡＮ回線の回線接続状態に基づき、前記記憶手段に記憶されている該ＬＡＮ回線接続状態監視装置のＬＡＮ回線接続状態を更新する機能と、前記記憶手段に記憶されている各ＬＡＮ回線接続状態監視装置についての現在のＬＡＮ回線接続状態をインターネット接続サービスセンターに報告する機能とを有することを特徴とする、ＬＡＮ回線接続状態監視システム。
【請求項５】
前記監視ユニットは、前記ＬＡＮ回線内に備えられた各ＬＡＮ回線接続状態監視装置について、ＬＡＮ回線の監視条件を初期設定するか否かを指定する初期設定フラグと、初期設定するＬＡＮ回線の監視条件が設定される監視条件設定テーブルとを備え、
前記ＬＡＮ回線接続状態監視装置の前記制御ユニットは、前記回線テストスイッチが押下されたときにテストスイッチ押下通知を前記監視ユニットに送信する機能を有し、
前記監視ユニットは、前記ＬＡＮ回線接続状態監視装置からテストスイッチ押下通知が受信されたときに、該ＬＡＮ回線接続状態監視装置について前記初期設定フラグがセットされている場合には、該ＬＡＮ回線接続状態監視装置に対して初期設定要求を送信する機能と、該ＬＡＮ回線接続状態監視装置に対して前記監視条件設定テーブルに設定されているＬＡＮ回線の監視条件を送信する機能を有し、
前記ＬＡＮ回線接続状態監視装置の前記制御ユニットは、前記監視ユニットから初期設定要求が受信されたときに、前記監視ユニットからＬＡＮ回線の監視条件を受信する機能と、前記受信されたＬＡＮ回線の監視条件を初期設定する機能とを有し、
前記監視ユニットの初期設定フラグが設定されているときに、前記ＬＡＮ回線接続状態監視装置の回線テストスイッチを押下することにより、前記制御ユニットの監視条件を初期設定できるようにしたことを特徴とする、請求項４に記載のＬＡＮ回線接続状態監視システム。
【発明の詳細な説明】
【技術分野】
【０００１】
本願発明は、賃貸マンション、テナントビル、ホテル等の施設において、利用者に対してインターネット接続サービスを提供するために敷設されたＬＡＮ回線の回線接続状態を監視するＬＡＮ回線接続状態監視装置およびＬＡＮ回線接続状態監視システムに関する。
【背景技術】
【０００２】
近年、賃貸マンション、テナントビル、ホテル等の施設において、インターネットにブロードバンド接続できることは利用者にとって重要な選択条件になっている。
このため、インターネット接続サーバを介してインターネットプロバイダに常時接続されたＬＡＮ回線を施設内の各室に敷設し、利用者が各室に設けられたＬＡＮコンセントにパソコン等の機器を接続することでインターネット接続サービスを利用できるようにした施設が急速に増加している。
【０００３】
しかしながら、かかる施設において、利用者が各室に設けられたＬＡＮコンセントにパソコン等の機器を接続してもインターネットに正常に接続できないという障害の発生することがしばしば起こり得る。
このような場合に、利用者は、設備・サービスの提供者に電話をして原因調査を依頼することになるが、障害の原因には、ユーザ機器にある場合、施設のＬＡＮ回線にある場合、インターネットプロバイダにある場合の３つのケースが考えられ、それらを切り分けるためにはＬＡＮ回線に異常がないことを早期に確認することが必須となる。
【０００４】
従来、かかるＬＡＮ回線の回線接続状態を確認するものとして、例えば特許文献１に示されるように、ＬＡＮ上にＬＡＮ監視装置を備え、ＬＡＮ上の各機器と定期的に通信確認を行わせるＬＡＮ監視方法や、例えば特許文献２に示されるように、ＬＡＮ上の各プロセッサに通信確認機能を持たせ、各プロセッサ間で定期的に通信を行わせるＬＡＮ監視方法や、例えば特許文献３に示されるように、ＬＡＮテスタを障害の発生している現場に持ち込んで人為的に回線接続状態を確認する方法が用いられていた。
【０００５】
【特許文献１】特開平８−３０７４３１号公報
【特許文献２】特開平９−０１８５０３号公報
【特許文献３】特開２００２−２２３２２４号公報
【発明の開示】
【発明が解決しようとする課題】
【０００６】
しかしながら、上記特許文献１や特許文献２に示されるようなＬＡＮ監視方法は、すべての機器がＬＡＮ上に常設されていることが前提となっており、施設内の各室にＬＡＮコンセントが設けられ、ユーザがサービスを利用するときにのみ機器が接続されるような場合には、かかる方法は採用できない。
【０００７】
一方、上記特許文献３に示されるようなＬＡＮテスタを現場に持ち込んで回線接続状態を確認する方法では、障害が発生する度に現場に保守員を派遣する必要があり、迅速な対応をすることが困難になるという問題があった。また、障害発生に対応する保守員を常に確保しておくことが必要となるため、低コストでインターネット接続サービスを提供することが困難になるという問題があった。
【０００８】
本願発明は、上記のような問題点を解決するためになされたものであり、賃貸マンションやホテル等におけるインターネット接続サービスのようにユーザがサービスを利用する場合にのみ機器が接続されるＬＡＮ回線にも適用でき、現場に保守員を派遣することなく迅速かつ低コストでＬＡＮ回線の回線接続状態を確認することのできるＬＡＮ回線接続状態監視装置を提供することを目的とする。
【課題を解決するための手段】
【０００９】
この発明のＬＡＮ回線接続状態監視装置は、インターネット接続サーバを介してインターネットに常時接続されているＬＡＮ回線であって、ユーザに対してインターネット接続サービスを提供する前記ＬＡＮ回線のユーザ側終端に接続され、該ＬＡＮ回線の回線接続状態を監視する装置であって、ＬＡＮ回線のユーザ側終端が接続されるＬＡＮ回線接続用コンセントと、ＬＡＮ回線インターフェースを有し、ＬＡＮ上の機器とデータ通信を行う機能を有する制御ユニットと、筐体のパネル面に設けられ、ユーザ装置のプラグが接続されるユーザ接続用コンセントと、筐体のパネル面に設けられ、スイッチが押下されたときにテストスイッチ押下信号を前記制御ユニットに送信する回線テストスイッチと、筐体のパネル面に設けられ、前記制御ユニットからの信号に基づいて回線接続の良・不良を表示する表示ユニットと、前記ユーザ接続用コンセントに対するユーザ装置のプラグの挿抜を検知し、検知されたプラグ挿抜検知信号を前記制御ユニットに送信するプラグ挿抜検知ユニットと、前記制御ユニットから切替信号を受信し、前記ＬＡＮ回線接続用コンセントのＬＡＮ信号を、前記ユーザ接続用コンセント側に接続するか、前記制御ユニット側に接続するかを切り替えるＬＡＮ信号切替ユニットとを備え、前記制御ユニットは、前記プラグ挿抜検出ユニットからのプラグ挿抜検知信号によりユーザ装置の接続を判定する機能と、該接続判定によりユーザ装置が接続されたと判定された場合に、前記ＬＡＮ信号切替ユニットに対してユーザ接続用コンセント側に接続する切替信号を送信してＬＡＮ回線を該ユーザ装置に接続させる機能と、該接続判定によりユーザ装置が解除されたと判断された場合に、前記ＬＡＮ信号切替ユニットに対して制御ユニット側に接続する切替信号を送信してＬＡＮ回線を該制御ユニットに接続させる機能とを含むユーザ接続判定手段と、前記ユーザ接続判定手段によりユーザ装置が接続中でないと判定された場合に、前記インターネット接続サーバ側に備えられた監視ユニットと定期的にデータ通信を行ってＬＡＮ回線の回線接続状態を確認する機能と、該回線接続状態の確認によってＬＡＮ回線の回線接続が確認されたときに前記表示ユニットに回線接続良を表示させる機能と、該回線接続状態の確認によってＬＡＮ回線の回線接続が確認されなかったときに前記表示ユニットに回線接続不良を表示させる機能とを含むユーザ非接続時監視手段と、前記ユーザ接続判定機能によりユーザ装置が接続中であると判定された場合であって、前記回線テストスイッチからテストスイッチ押下信号が受信された場合に、前記ＬＡＮ信号切替ユニットに対して制御ユニット側に接続する切替信号を送信してＬＡＮ回線を該制御ユニットに接続させる機能と、前記インターネット接続サーバ側に備えられた監視ユニットとデータ通信を行ってＬＡＮ回線の回線接続状態を確認する機能と、該回線接続状態の確認によってＬＡＮ回線の回線接続が確認されたときに前記表示ユニットに回線接続良を表示させる機能と、該回線接続状態の確認によってＬＡＮ回線の回線接続が確認されなかったときに前記表示ユニットに回線接続不良を表示させる機能と、前記ＬＡＮ信号切替ユニットに対してユーザ接続用コンセント側に接続する切替信号を送信してＬＡＮ回線を該ユーザ装置に接続させてユーザ装置の通信を復帰させる機能とを含むユーザ接続時テスト手段とを有するものである。
【００１０】
この発明によれば、ＬＡＮ回線のユーザ側終端が接続されるＬＡＮ回線接続用コンセントと、ＬＡＮ上の機器とデータ通信を行う機能を有する制御ユニットと、ユーザ装置が接続されるユーザ接続用コンセントと、回線接続状態が表示される表示ユニットと、回線接続状態のテストを行うための回線テストスイッチと、ユーザ接続用コンセントへのプラグの挿抜を検出するプラグ挿抜検出ユニットと、ＬＡＮ回線接続用コンセントのＬＡＮ信号をユーザ接続用コンセントに接続するか制御ユニットに接続するかを切り替えるＬＡＮ信号切替ユニットとを備え、ユーザ接続判定手段により、ユーザ接続用コンセントへのユーザ装置の接続が判定され、ユーザの非接続が確認されると、ＬＡＮ回線接続用コンセントのＬＡＮ信号は制御ユニットに接続され、制御ユニットによる回線接続確認が可能となり、ユーザの接続が確認されると、ＬＡＮ回線接続用コンセントのＬＡＮ信号がユーザ接続用コンセントに接続され、利用者はパネル面のユーザ接続用コンセントにユーザ装置のプラグを挿入することでインターネット接続サービスを受けることができる。
ユーザが非接続であると判定された場合は、ユーザ非接続時監視手段により、インターネット接続サーバ側に備えられた監視ユニットと定期的にデータ通信を行って回線接続状況が確認され、パネル面に設けられた表示ユニットに現在の回線接続状態が表示されるので、ユーザは使用前にＬＡＮ回線が正常であるか否かを独自で判断できる。
また、ユーザが接続中であると判定された場合であって、回線テストスイッチが押下されたときは、ＬＡＮ回線接続用コンセントのＬＡＮ信号が一時的に制御ユニットに切替えられ、インターネット接続サーバ側に備えられた監視ユニットとデータ通信を行って回線接続状況が確認され、パネル面に設けられた表示ユニットに回線接続状態が表示されるので、通信の障害が発生した場合に、現場に保守要員を派遣しなくても、ユーザに回線テストスイッチを押してもらうことでＬＡＮ回線の接続状況を確認でき、障害発生に対して迅速かつ低コストで対応することが可能となる。
尚、ユーザ接続用コンセントと、回線接続状態の表示ユニットと、回線テストスイッチは、筐体のパネル面に設けられているので、ＬＡＮ回線のユーザ側終端を壁面内側でＬＡＮ回線接続用コンセントに接続することで、ＬＡＮ回線接続状況監視装置を壁面埋込み型コンセントとして使用することができる。
【００１１】
この発明のＬＡＮ回線接続状態監視装置は、前記ＬＡＮ回線接続用コンセントに接続され、装置内で使用するすべての電源をＬＡＮケーブルを介して受電するためのＰｏＥ受電ユニットを備えたものである。
【００１２】
この発明によれば、装置内で使用するすべての電源はＬＡＮケーブルを介して供給されるので、外部電源を準備する必要がなく、施設内の各室に敷設されたＬＡＮ回線のユーザ側終端をＬＡＮ回線接続用コンセントに接続するだけで使用できる。
【００１３】
この発明のＬＡＮ回線接続状態監視装置は、前記制御ユニットのＩＰアドレスを設定するためのＩＰ設定ユニットが接続されるＩＰ設定ユニット接続用コンセントを備え、前記ＩＰ設定ユニットを前記ＩＰ設定ユニット接続コンセントに接続することで前記制御ユニットのＩＰアドレスを外部から設定できるようにしたものである。
【００１４】
この発明によれば、ＩＰ設定ユニット接続用コンセントにＩＰ設定ユニットを接続することで制御ユニットに固有のＩＰアドレスを設定できるので、設備導入時や設備更新時のセットアップを迅速に行うことができる。
【００１５】
この発明のＬＡＮ回線接続状態監視システムは、この発明のＬＡＮ回線接続状態監視装置をＬＡＮ回線の各ユーザ側終端に備え、前記インターネット接続サーバ側に監視ユニットを備えたものであって、前記ＬＡＮ回線接続状態監視装置の前記制御ユニットは、前記ユーザ接続判定手段により判定されたユーザ装置の接続状態を前記監視ユニットに送信する機能を有し、前記監視ユニットは、前記ＬＡＮ回線内に備えられた各ＬＡＮ回線接続状態監視装置におけるユーザ接続状態とＬＡＮ回線接続状態とが記憶される記憶手段を備え、前記ＬＡＮ回線接続状態監視装置から受信されたユーザ装置の接続状態に基づき、前記記憶手段に記憶されている該ＬＡＮ回線接続状態監視装置のユーザ接続状態を更新する機能と、前記ＬＡＮ回線接続状態監視装置の前記制御ユニットとのデータ通信により確認されたＬＡＮ回線の回線接続状態に基づき、前記記憶手段に記憶されている該ＬＡＮ回線接続状態監視装置のＬＡＮ回線接続状態を更新する機能と、前記記憶手段に記憶されている各ＬＡＮ回線接続状態監視装置についての現在のＬＡＮ回線接続状態をインターネット接続サービスセンターに報告する機能とを有するものである。
【００１６】
この発明によれば、インターネット接続サーバ側に監視ユニットを備え、ＬＡＮ回線内に備えられた各ＬＡＮ回線接続状態監視装置についての最新のＬＡＮ回線接続状態をインターネット接続サービスセンターに報告する機能を有するので、障害が発生した場合に、インターネット接続サービスセンター側において当該施設のＬＡＮ回線に接続された各ＬＡＮ回線接続状態監視装置の状態を把握でき、ユーザからの問合せに対して迅速かつ適切に対応することが可能となる。
また、監視ユニットは、ＬＡＮ回線接続状態に加えて、ユーザ接続状態についても定期的またはユーザの接続・解除検出時にインターネット接続サービスセンターに報告するようにしてもよい。これにより、障害が発生した場合に、インターネット接続サービスセンター側で、当該ユーザがユーザ装置を正しく接続しているかや、施設内で接続しているユーザ数を把握でき、ユーザからの問合せに対してより的確に対応することが可能となる。
尚、監視ユニットは、ＬＡＮ回線のインターネット接続サーバ側に別途接続される監視装置として構成してもよく、インターネット接続サーバ内で実行される監視ソフトとして構成してもよい。
【００１７】
この発明のＬＡＮ回線接続状態監視システムは、前記監視ユニットは、前記ＬＡＮ回線内に備えられた各ＬＡＮ回線接続状態監視装置について、ＬＡＮ回線の監視条件を初期設定するか否かを指定する初期設定フラグと、初期設定するＬＡＮ回線の監視条件が設定される監視条件設定テーブルとを備え、前記ＬＡＮ回線接続状態監視装置の前記制御ユニットは、前記回線テストスイッチが押下されたときにテストスイッチ押下通知を前記監視ユニットに送信する機能を有し、前記監視ユニットは、前記ＬＡＮ回線接続状態監視装置からテストスイッチ押下通知が受信されたときに、該ＬＡＮ回線接続状態監視装置について前記初期設定フラグがセットされている場合には、該ＬＡＮ回線接続状態監視装置に対して初期設定要求を送信する機能と、該ＬＡＮ回線接続状態監視装置に対して前記監視条件設定テーブルに設定されているＬＡＮ回線の監視条件を送信する機能を有し、前記ＬＡＮ回線接続状態監視装置の前記制御ユニットは、前記監視ユニットから初期設定要求が受信されたときに、前記監視ユニットからＬＡＮ回線の監視条件を受信する機能と、前記受信されたＬＡＮ回線の監視条件を初期設定する機能とを有し、前記監視ユニットの初期設定フラグが設定されているときに、前記ＬＡＮ回線接続状態監視装置の回線テストスイッチを押下することにより、前記制御ユニットの監視条件を初期設定できるようにしたものである。
【００１８】
この発明によれば、監視ユニットにおいて、監視条件テーブルにＬＡＮ回線の監視条件を設定し、初期設定フラグをセットしておくことで、各ＬＡＮ回線接続状態監視装置の回線テストスイッチを押下するだけでＬＡＮ回線の監視条件を簡便に初期設定することができ、監視条件の変更などのメンテナンス作業を迅速に行うことができる。
【発明の効果】
【００１９】
本願発明によれば、賃貸マンションやホテル等におけるインターネット接続サービスのようにユーザがサービスを利用する場合にのみ機器が接続されるＬＡＮ回線にも適用でき、現場に保守員を派遣することなく迅速かつ低コストでＬＡＮ回線の回線接続状態を確認できるという効果がある。
【００２０】
本願発明の上述の目的，その他の目的，特徴および利点は、図面を参照して行う以下の発明を実施するための最良の形態の説明から一層明らかとなろう。
【発明を実施するための最良の形態】
【００２１】
図１に、本願発明の一実施形態に係るＬＡＮ回線接続状態監視システムのシステム構成を示す。
本システムは、賃貸マンション１０、テナントビル１２、ホテル１４等の施設において、利用者に対してインターネット接続サービスを提供するために敷設されたＬＡＮ回線２０の回線接続状態を監視するものである。
ＬＡＮ回線２０は、インターネット接続サーバ３０を介して通信回線に接続され、インターネットプロバイダ（図示省略）よりインターネット接続サービスが提供される。
また、ＬＡＮ回線２０は、ＰｏＥ（Power over Ethernet（登録商標））給電機能付スイッチングハブ５０を介して施設内の各室１２に分配され、各室のユーザ側終端にはそれぞれ本願発明のＬＡＮ回線接続状態監視装置１００が接続される。
一方、インターネット接続サーバ３０には、各室のＬＡＮ回線接続状態監視装置１００とデータ通信を行ってＬＡＮ回線の接続状態を確認するとともに、施設内の各室におけるユーザ接続状態と回線接続状態等をインターネット接続サービスセンター４０に報告するための監視ユニット２００が接続されている。
【００２２】
ユーザは、各室に設置されたＬＡＮ回線接続状態監視装置１００のパネル面に設けられたユーザ接続用コンセント（ＬＡＮ接続用モジュラージャック）に、ユーザ装置６０のＬＡＮケーブルを接続することで、インターネット接続サービスを利用することができる。
また、後述のように、ＬＡＮ回線接続状態監視装置１００は、ユーザ装置の非接続時に、監視ユニット２００と定期的にデータ通信を行ってＬＡＮ回線の回線接続状態を確認し、パネル面に設けられた回線接続状態表示機に表示する機能を有するので、ユーザは当該ＬＡＮ回線が使用可能か否かを使用前に確認することができる。
更には、ＬＡＮ回線接続状態監視装置１００は、ユーザ装置の接続時に、パネル面に設けられた回線テストスイッチを押すことで、一時的に監視ユニット２００とデータ通信を行ってＬＡＮ回線の回線接続状態を確認し、パネル面に設けられた回線接続状態表示機に表示する機能を有するので、設備・サービスの提供者は、通信障害の発生時に、ユーザに回線テストスイッチを押してもらうことで、保守員を現場に派遣することなく当該ＬＡＮ回線の回線接続状態を確認でき、障害に対して迅速に対応することができる。
【００２３】
図２に、本願発明の一実施形態に係るＬＡＮ回線接続状態監視装置の回路構成を示す。
ＬＡＮ回線接続状態監視装置１００は、ユーザ装置が接続されるユーザ接続用コンセント（ＬＡＮケーブル接続用モジュラージャック）１１０と、ユーザ装置の接続時にＬＡＮ回線のテストを行うための回線テストスイッチ１１２と、回線接続状態表示機１１４，１１６と、各室に敷設されたＬＡＮ回線のユーザ側終端が壁面内側で接続されるＬＡＮ回線接続用コンセント（ＬＡＮケーブル接続用モジュラージャック）１２０と、ＩＰ設定ユニットの接続用コンセント１２２とを備える。
【００２４】
筐体内には、ＬＡＮ回線インターフェースと信号入出力インターフェースを備えたマイクロプロセッサで構成され、装置内の各ユニットを制御する機能と、ＬＡＮ上の機器と通信する機能とを有する制御ユニット１８０と、制御ユニット１８０からの指令によりＬＡＮ回線接続用コンセント１２０からのＬＡＮ信号を、ユーザ接続用コンセントに接続するか、制御ユニットのＬＡＮ回線インターフェースに接続するかを切替えるＬＡＮ信号切替回路１４０と、ユーザ接続用コンセント１１０にユーザ装置のモジュラープラグが挿入されているか否かを検出して制御ユニット１８０に伝達するプラグ挿抜回路１６０と、ＬＡＮ回線接続用コンセント１２０を介してＰｏＥ給電機能付スイッチングハブ５０から受電して筐体内の各機器に電源を給電するＰｏＥ受電回路１９０を備える。
【００２５】
ＬＡＮ回線接続用コンセント１２０からのＬＡＮ信号は、直流成分の絶縁とサージ保護のためのパルストランス１３０を介して、ＬＡＮ信号切替回路１４０のコモン接点に接続されている。
ＬＡＮ信号切替回路１４０の一方接点は、同じくパルストランス１５０を介してプラグ挿抜検出回路１６０に接続され、ユーザ接続用コンセント１１０に接続されている。
ＬＡＮ信号切替回路１４０の他方接点は、制御ユニット１８０のＬＡＮ回線インターフェースに接続されている。
制御ユニット１８０の信号入出力インターフェース（Ｉ／Ｏ）は、回線テストスイッチ１１２、回線接続状態表示機１１４，１１６、ＬＡＮ信号切替回路１４０、プラグ挿抜回路１６０、ＩＰ設定ユニット接続コンセント１２２のそれぞれと接続されている。
また、制御ユニット１８０には、ＬＡＮ回線の監視条件が記憶される外付けのＥＥＰＲＯＭ１７０が接続されている。
ＬＡＮ回線接続用コンセント１２０は、ＰｏＥ受電回路１９０に接続され、ＰｏＥ受電回路１９０で受電された電源は各ユニットに対して供給される。これにより、本装置は個別に電源配線を行う必要がなく、ＬＡＮ回線のユーザ側終端を接続するだけで即利用に供することができる。
【００２６】
図３に、ＬＡＮ回線接続状態監視装置１００の外観構成を示す。
図のように、筐体のパネル面に、ユーザ接続用コンセント１１０と、回線テストスイッチ１１２と、回線接続状態表示機１１４，１１６とを備えるので、各室の壁内部でＬＡＮ回線のユーザ側終端をＬＡＮ回線接続用コンセント１２０に接続することで、壁埋込み型コンセントとして利用に供することができる。
また、本装置のＩＰアドレスの設定用としてＩＰ設定ユニット３００を備えており、ＩＰ設定ユニット３００のフラットケーブル３１０のコネクタ３２０を本装置のＩＰ設定ユニット接続コンセント１２２に接続することで、制御ユニット１８０のＩＰアドレスを初期設定したり、設定変更したりすることができる。ＩＰ設定ユニット３００は、ＩＰｖ４のクラスＣの下位２組（192.168.aaa.bbb のaaaとbbb）を１６進数で設定するもので、１６進スイッチ４個を備える。
【００２７】
図４〜図１０に、ＬＡＮ回線接続状態監視装置１００の制御ユニット１８０における制御処理の処理手順を示す。
図４は、制御ユニット１８０における制御処理の全体フローを示す。
制御ユニット１８０は、電源が投入されると、最初に起動時処理を実行する（Ｓ１００）。起動時処理は、制御処理で用いられる各種パラメータの初期化を行う他、ＩＰ設定ユニット接続コンセントにＩＰ設定ユニットが接続されていることが検出された場合に、ＩＰ設定ユニットの１６進スイッチの設定を読み込み、本装置のＩＰアドレスを設定する。
そして、メインループ（Ｓ１０２）として、監視モードの判定を行い（Ｓ１０４）、監視モードが「通常処理モード」の場合は、後述の通常処理（Ｓ２００）を実行し、監視モードが「テストモード」の場合は、後述のテストモード処理（Ｓ４００）を実行し、監視モードが「初期設定モード」の場合は、後述の初期設定処理（Ｓ７００）を実行する。
【００２８】
図５は、制御ユニット１８０における通常処理の処理手順を示す。
通常処理（Ｓ２００）は、最初に、ユーザの接続状態を判定する後述のユーザ接続判定処理（Ｓ３００）を実行する。
ユーザが接続中でない場合であって（Ｓ２０４）、監視ユニットから「回線接続状態通知要求」が正常に受信されたら（Ｓ２０６）、監視ユニットに対して「回線接続状態確認」を返信し（Ｓ２０８）、回線接続状態表示機の回線ＯＫを表示させ（Ｓ２１０）、確認要求周期待ちタイマーを再起動し（Ｓ２１２）、通常処理を終了する。
Ｓ２０６において、監視ユニットから「回線接続状態通知要求」が正常に受信されない場合は、確認要求周期待ちタイマーのタイムアップが確認されるまで、制御処理のメインループを繰り返すために通常処理から抜け出る（Ｓ２２０）。Ｓ２２０において、確認要求周期待ちタイマーがタイムアップしたら、回線接続状態表示機の回線ＮＧを表示させ（Ｓ２２２）、通常処理を終了する。
一方、Ｓ２０４において、ユーザが接続中である場合は、確認要求周期待ちタイマーを停止し（Ｓ２３０）、通常処理を終了する。
以上の処理により、主として本願発明のユーザ非接続時監視手段が実現される。
【００２９】
尚、上記実施形態では、回線接続状態の確認は、監視ユニットからの「回線接続状態通知要求」が所定周期で正常に受信されることをもって行っているが、制御ユニット側から「回線接続状態確認要求」を出し、それに対して、監視ユニットから「回線接続状態確認要求」を所定時間内に正常に受信したことの「確認通知」を受け取ることで行うようにしてもよい。
また、回線接続状態の確認は、ハンドシェイクによって単に受信確認を行うだけのものでもよく、テストパケットを用いて通信電文の誤りをテストする機能を含めたものでもよく、単に制御ユニットから監視ユニットに対して「ｐｉｎｇ」（Packet InｔerNet Groper）を送って、それに対して応答があったことを確認するだけものでもよい。このことは、回線接続状態の確認を行うすべての処理に共通する。
【００３０】
図６は、制御ユニット１８０におけるユーザ接続判定処理の処理手順を示す。
ユーザ接続判定処理（Ｓ３００）は、最初に、プラグ挿抜検出回路１６０においてユーザの接続が確認されたら（Ｓ３０２）、監視ユニットに対して「ユーザ接続通知」を送信する（Ｓ３０４）。
そして、監視ユニットから「ユーザ接続通知確認」が受信されたら（Ｓ３０６）、ＬＡＮ信号切替回路１４０を「ユーザ側」に切り替え（Ｓ３０８）、回線接続状態表示機の回線ＯＫを表示させ（Ｓ３１０）、ユーザ接続判定処理を終了する。
Ｓ３０６において、監視ユニットから「ユーザ接続通知確認」が受信されない場合は、Ｓ３０４に戻ってリトライし、リトライ回数が３回を超えたら（Ｓ３１２）、回線接続状態表示機の回線ＮＧを表示させ（Ｓ３１４）、ユーザ接続判定処理を終了する。
一方、プラグ挿抜検出回路１６０においてユーザの接続が確認されたら（Ｓ３２０）、ＬＡＮ信号切替回路１４０を「制御ユニット側」に切り替え（Ｓ３２２）、監視ユニットに対して「ユーザ解除通知」を送信する（Ｓ３２４）。
そして、監視ユニットから「ユーザ解除通知確認」が受信されたら（Ｓ３２６）、回線接続状態表示機の回線ＯＫを表示させ（Ｓ３２８）、ユーザ接続判定処理を終了する。
Ｓ３２６において、監視ユニットから「ユーザ解除通知確認」が受信されない場合は、Ｓ３２４に戻ってリトライし、リトライ回数が３回を超えたら（Ｓ３３０）、回線接続状態表示機の回線ＮＧを表示させ（Ｓ３３２）、ユーザ接続判定処理を終了する。
以上の処理により、本願発明のユーザ接続判定手段が実現される。
【００３１】
尚、上記実施形態では、監視ユニットに対して「ユーザ接続通知」を送信し、これに対して監視ユニットから「ユーザ接続通知確認」が正常に受信されたことをもって回線接続状態の確認を行うようにしているが、これはユーザ接続判定手段としては必ずしも必須のものではなく、単にユーザの接続を判定してそれに応じてＬＡＮ信号切替回路を切り替えるだけのものでもよい。
【００３２】
図７は、制御ユニット１８０におけるテストモード処理の処理手順を示す。
テストモード処理（Ｓ４００）は、最初に、回線のテスト中であることを示すテストモード表示として、回線接続状態表示機の回線ＯＫと回線ＮＧの両方を点滅表示させる（Ｓ４０２）。
次に、監視ユニットに対して「テストスイッチ押下通知」を送信する（Ｓ４０４）。
これに対して、監視ユニットから「初期設定要求」が受信されたら（Ｓ４０６）、監視モードを「初期設定モード」に切り替え（Ｓ４０８）、テストモード処理を終了する。これにより、制御処理のメインループにおいて「初期設定処理」が実行される。
また、監視ユニットから「押下通知確認」が受信されたら（Ｓ４１０）、回線接続状態表示機の回線ＯＫを表示させ（Ｓ４１２）、保存されたスイッチ押下前の回線接続先を取り出してスイッチ押下前の回線接続を復帰させ（Ｓ４１４）、監視モードを「通常処理モード」に切り替え（Ｓ４１５）、テストモード処理を終了する。これにより、制御処理のメインループにおいて「通常処理」の実行ループに戻る。
Ｓ４１０において、監視ユニットから「押下通知確認」が受信されない場合は、Ｓ４０４に戻ってリトライし、リトライ回数が３回を超えたら（Ｓ４１６）、回線接続状態表示機の回線ＮＧを表示させ（Ｓ４１８）、Ｓ４１４に進んで、スイッチ押下前の回線接続を復帰させ、監視モードを「通常処理モード」に切り替えてテストモード処理を終了する。
以上の処理により、本願発明のユーザ接続時テスト手段が実現される。
【００３３】
尚、上記実施形態では、監視ユニットから「初期設定要求」が受信されたら、監視モードを「初期設定モード」に切り替えるようにしているが、これは後述の初期設定処理を実行させるためのものであり、ユーザ接続時テスト手段としては必須のものではない。
【００３４】
図８は、制御ユニット１８０におけるテストスイッチ割り込み処理の処理手順を示す。
テストスイッチ割り込み処理（Ｓ５００）は、回線テストスイッチが押下されたときに起動されるものであり、スイッチ押下前の回線接続先情報を保存し（Ｓ５０２）、ＬＡＮ信号切替回路１４０を「制御ユニット側」に切り替え（Ｓ５０４）、監視モードを「テストモード」に切り替え（Ｓ５０６）、割り込み処理より復帰する（Ｓ５０８）。これにより、制御処理のメインループにおいて「テストモード処理」が実行される。
【００３５】
図９に、制御ユニット１８０における受信割り込み処理の処理手順を示す。
受信割り込み処理（Ｓ６００）は、監視ユニットから電文が受信されたときに起動されるものであり、受信された電文を解析し、正常に通信されたことを確認する処理を実行し（Ｓ６０２）、割り込み処理より復帰する（Ｓ６０４）。
【００３６】
図１０に、制御ユニット１８０における初期設定処理の処理手順を示す。
初期設定処理（Ｓ７００）は、回線テストスイッチが押下されたときに、監視ユニットから初期設定要求が受信された場合に実行されるものであり、監視ユニットからの要求に応じて、制御ユニットのＥＥＰＲＯＭ１７０に設定されている監視条件を確認したり、変更したりする。
監視ユニットより「設定問合せ要求」が受信されたら（Ｓ７０２）、ＥＥＰＲＯＭ１７０に設定されている現在の「設定データ」を監視ユニットに送信する（Ｓ７０４）。
監視ユニットより「設定変更要求」が受信されたら（Ｓ７０６）、監視ユニットに対して受信された「設定データ」を返信する（Ｓ７０８）。
監視ユニットより「返信内容確認」が受信されたら（Ｓ７１０）、受信された「設定データ」を「初期設定データ」として確定する（Ｓ７１２）。
Ｓ７１０において、監視ユニットから「返信内容確認」が受信されない場合は、Ｓ７０８に戻ってリトライし、リトライ回数が３回を超えたら（Ｓ７１４）、受信された変更内容を破棄する（Ｓ７１６）。
監視ユニットより「設定反映要求」が受信されたら（Ｓ７２０）、確定された「初期設定データ」をＥＥＰＲＯＭ１７０に反映する（Ｓ７２２）。
監視ユニットより「初期設定終了通知」が受信されたら（Ｓ７２４）、監視ユニットに対して「終了通知確認」を送信し（Ｓ７２６）、ＬＡＮ信号切替回路１４０を「ユーザ側」に切り替え（Ｓ７２８）、回線接続状態表示機のテスト状態表示を終了させて回線ＯＫを表示させ（Ｓ７３０）、監視モードを「通常処理モード」に戻し（Ｓ７３２）、初期設定処理を終了する。
以上の処理により、本願発明の初期設定の機能が実現される。
【００３７】
次に、監視ユニット２００における制御処理の概要について述べる。
監視ユニット２００は、施設内のＬＡＮ回線に接続されたすべてのＬＡＮ回線接続状態監視装置の管理データが記録される管理データベースを備える。管理データベースには、以下のようなデータ項目が登録される。
１．インデックス番号（インターネット接続サービスセンターにおいて、施設内の設置場所を特定するための情報）
２．ＩＰアドレス
３．ＭＡＣアドレス
４．ユーザ接続状態（ユーザ接続中／ユーザ非接続）
５．ＬＡＮ回線接続状態（正常／異常）
６．インターネット接続サービスセンターへの報告状況（処理済／未処理）
７．次回の回線接続状態確認時刻
また、監視ユニット２００は、施設内のＬＡＮ回線に接続された各ＬＡＮ回線接続状態監視装置について監視条件の初期設定を行うために、初期設定を行うか否かを指定する初期設定フラグと、初期設定するＬＡＮ回線の監視条件が設定される監視条件設定テーブルを備える。
【００３８】
監視ユニット２００は、ＬＡＮ回線接続状態監視装置の制御ユニットにおける「ユーザ接続判定処理」に対応して「ユーザ接続・解除通知受信処理」を実行する。
ユーザ接続・解除通知受信処理は、ＬＡＮ回線接続状態監視装置の制御ユニットから「ユーザ接続通知」が受信されたら、当該制御ユニットに対して「ユーザ接続通知確認」を送信し、管理データベースの当該ＬＡＮ回線接続状態監視装置のユーザ接続状態を「ユーザ接続中」に更新する。また、ＬＡＮ回線接続状態監視装置の制御ユニットから「ユーザ解除通知」が受信されたら、当該制御ユニットに対して「ユーザ解除通知確認」を送信し、管理データベースの当該ＬＡＮ回線接続状態監視装置のユーザ接続状態を「ユーザ非接続」に更新する。
【００３９】
監視ユニット２００は、ＬＡＮ回線接続状態監視装置の制御ユニットにおける「通常処理」に対応して「定期接続状態確認処理」を実行する。
定期接続状態確認処理は、定期的に管理データベースをスキャンし、ユーザが非接続で、次回の回線接続状態確認時刻に達しているものがあれば、当該ＬＡＮ回線接続状態監視装置の制御ユニットに対して「回線接続状態通知要求」を送信する。そして、当該制御ユニットから「回線接続状態確認」が受信されれば、管理データベースの当該ＬＡＮ回線接続状態監視装置の回線接続状態を「正常」とし、次回の回線接続状態確認時刻を更新する。また、当該制御ユニットから「回線接続状態確認」が受信されない場合は、所定回数のリトライを行い、それでも「回線接続状態確認」が受信されなければ、管理データベースの当該ＬＡＮ回線接続状態監視装置の回線接続状態を「異常」とする。
【００４０】
監視ユニット２００は、ＬＡＮ回線接続状態監視装置の制御ユニットにおける「テストモード処理」に対応して「テストスイッチ押下信号受信処理」を実行する。
テストスイッチ押下信号受信処理は、ＬＡＮ回線接続状態監視装置の制御ユニットから「テストスイッチ押下通知」が受信されたら、当該ＬＡＮ回線接続状態監視装置の初期設定フラグが設定されていない場合は、当該制御ユニットに対して「押下通知確認」を返信し、回線接続状態を「正常」に更新し、次回の回線接続状態確認時刻を更新する。当該ＬＡＮ回線接続状態監視装置の初期設定フラグが設定されている場合は、当該制御ユニットに対して「初期設定要求」を返信し、以下の「初期設定処理」に移行する。
【００４１】
監視ユニット２００は、ＬＡＮ回線接続状態監視装置の制御ユニットにおける「初期設定処理」に対応して「初期設定処理」を実行する。
初期設定処理は、設定内容の問合せを行う場合は、当該制御ユニットに対して「設定問合せ要求」を送信し、現在の設定データを受信する。設定内容の変更を要求する場合は、当該制御ユニットに対して「設定変更要求」として、監視条件設定テーブルに設定されている設定データを送信し、当該ユニットから送信した設定データが正しく受信されたら、当該制御ユニットに対して「返信内容確認」を送信する。設定内容の反映を要求する場合は、当該制御ユニットに対して「設定反映要求」を送信する。初期設定の終了を要求する場合は、当該制御ユニットに対して「初期設定終了通知」を送信する。
【００４２】
監視ユニット２００は、定期的に管理データベースをスキャンし、回線接続状態が異常であり、報告が未処理のものがあれば、インターネット接続サービスセンターに対して「施設情報」と「インデックス番号」を通知し、インターネット接続サービスセンターへの報告状況を「処理済」に更新する処理を行う「インターネット接続サービスセンター異常通知処理」を実行する。
尚、回線接続状態はインターネット接続サービスセンターに定期的に報告するようにしてもよく、回線接続状態に加えてユーザ接続状態も併せて報告するようにしてもよい。
【００４３】
以上のように、ＬＡＮ回線接続状態監視装置１００の制御ユニット１８０とインターネット接続サーバ側の監視ユニット２００との通信により、当該ＬＡＮ回線の回線接続状態が監視され、各ＬＡＮ回線接続状態監視装置の回線接続状態表示機に回線接続状態が表示されるとともに、回線接続に異常がある場合は、インターネット接続サービスセンターに自動的にレポートされるので、障害発生時にも迅速かつ的確に対応できる。
【００４４】
上記実施形態では、施設内のＬＡＮ回線をインターネットに接続する装置をインターネット接続サーバとして記述したが、いわゆるインターネットルータやゲートウェイなどのように、通信回線を介してインターネットプロバイダと接続する機能を有するものであればどのようなものでもよい。
また、上記実施形態では、監視ユニットはインターネット接続サーバとは別に備えるように記述したが、インターネット接続サーバ内に組み込まれたソフトウェアにより構成されるものでもよい。
【産業上の利用可能性】
【００４５】
以上のように、本願発明によれば、賃貸マンションやホテル等におけるインターネット接続サービスのようにユーザがサービスを利用する場合にのみ機器が接続されるＬＡＮ回線にも適用でき、現場に保守員を派遣することなく迅速かつ低コストでＬＡＮ回線の回線接続状態を確認できるＬＡＮ回線接続状態監視装置が提供される。
尚、本願発明は上述した実施形態に限定されるものではなく、本願発明の効果を奏する限り、実施形態で述べた構成要素を適宜入れ替えたり、新たな構成要素を追加したり、一部の構成要素を削除したりしてもよいことはいうまでもない。
【図面の簡単な説明】
【００４６】
【図１】本願発明の一実施形態に係るＬＡＮ回線接続状態監視システムのシステム構成図である。
【図２】本願発明の一実施形態に係るＬＡＮ回線接続状態監視装置の回路構成図である。
【図３】本願発明の一実施形態に係るＬＡＮ回線接続状態監視装置の外観図である。
【図４】本願発明の一実施形態に係るＬＡＮ回線接続状態監視装置の制御ユニットにおける制御処理（全体フロー）の処理手順を示すフロー図である。
【図５】本願発明の一実施形態に係るＬＡＮ回線接続状態監視装置の制御ユニットにおける制御処理（通常処理）の処理手順を示すフロー図である。
【図６】本願発明の一実施形態に係るＬＡＮ回線接続状態監視装置の制御ユニットにおける制御処理（ユーザ接続判定処理）の処理手順を示すフロー図である。
【図７】本願発明の一実施形態に係るＬＡＮ回線接続状態監視装置の制御ユニットにおける制御処理（テストモード処理）の処理手順を示すフロー図である。
【図８】本願発明の一実施形態に係るＬＡＮ回線接続状態監視装置の制御ユニットにおける制御処理（回線テストスイッチ割り込み処理）の処理手順を示すフロー図である。
【図９】本願発明の一実施形態に係るＬＡＮ回線接続状態監視装置の制御ユニットにおける制御処理（受信割り込み処理）の処理手順を示すフロー図である。
【図１０】本願発明の一実施形態に係るＬＡＮ回線接続状態監視装置の制御ユニットにおける制御処理（初期設定処理）の処理手順を示すフロー図である。
【符号の説明】
【００４７】
１０  賃貸マンション
２０  ＬＡＮ回線
３０  インターネット接続サーバ
４０  インターネット接続サービスセンター
５０  ＰｏＥ給電機能付スイッチングハブ
６０  ユーザ装置
１００  ＬＡＮ回線接続状態監視装置
２００  監視ユニット
１１０  ユーザ接続用コンセント
１１２  回線テストスイッチ
１１４  回線接続状態表示機（回線ＯＫ表示）
１１６  回線接続状態表示機（回線ＮＧ表示）
１２０  ＬＡＮ回線接続用コンセント
１２２  ＩＰ設定ユニット接続コンセント
１３０  パルストランス
１４０  ＬＡＮ信号切替回路
１５０  パルストランス
１６０  プラグ挿抜検出回路
１７０  制御ユニット
１８０  外付けＥＥＰＲＯＭ
１９０  ＰｏＥ受電回路
３００  ＩＰ設定ユニット
【図１】
2009152947.tif 000003
【図２】
2009152947.tif 000004
【図３】
2009152947.tif 000005
【図４】
2009152947.tif 000006
【図５】
2009152947.tif 000007
【図６】
2009152947.tif 000008
【図７】
2009152947.tif 000009
【図８】
2009152947.tif 000010
【図９】
2009152947.tif 000011
【図１０】
2009152947.tif 000012